(57)【要約】【課題】  液晶ディスプレイへ背面から照射するバックライトの明るさを可変しても、画面全体が白っぽくならない。また、黒浮き及び・黒潰れの無い表示品位の高い画像表示装置を提供すること。  また、バックライトの明るさを可変しても液晶ディスプレイから表示される画像の色度を一定に保った画像表示装置を提供すること。【解決手段】  液晶ディスプレイへ背面から照射するＬＥＤを用いたバックライトへの駆動電流を検出することで、バックライトの明るさを検出し、バックライトの明るさに応じて、輝度階調を変更する。【選択図】  図２
2009128789.tif 000002
【特許請求の範囲】
【請求項１】
撮像した静止画像及び／或いは動画像を記録媒体に記録及び再生表示する画像表示装置であって、
撮像手段と、記録手段と、制御手段と、液晶ディスプレイへ背面から照射するＬＥＤバックライトにより、明るさの切り替え可能な表示手段と、バックライト駆動電流検出手段を有し、
前記表示手段は、前記バックライト駆動電流検出手段からの検出された値に応じて液晶ディスプレイドライバーへの画像信号設定値を通常設定以外に複数持つことを特徴とする画像表示装置。
【請求項２】
輝度階調に閾値の範囲を設け、前記表示手段への各画像信号設定値は、前記バックライト駆動電流検出手段からの検出された値が初期値より低い値が検出されると、初期輝度階調に対し前記輝度階調の閾値範囲外の輝度を上げるよう前記画像信号設定値を設定することを特徴とする請求項1に記載の画像表示装置。
【請求項３】
前記表示手段への画像信号設定値は、前記バックライト駆動電流検出手段からの検出された値が初期値より低い値が検出されると、前記画像信号のＢ画像信号設定値比率を初期設定値より増やすことを特徴とする請求項1に記載の画像表示装置。
【請求項４】
輝度階調に閾値の範囲を設け、前記表示手段への各画像信号設定値は、前記バックライト駆動電流検出手段からの検出された値が初期値より高い値が検出されると、初期輝度階調に対し前記輝度階調の閾値範囲外の輝度を下げるよう前記画像信号設定値を設定することを特徴とする請求項1に記載の画像表示装置。
【請求項５】
前記表示手段への各画像信号設定値は、前記バックライト駆動電流検出手段からの検出された値が初期値より高い値が検出されると、前記画像信号のＢ画像信号設定値比率を初期設定値より減らすことを特徴とする請求項1に記載の画像表示装置。
【請求項６】
撮像した静止画像及び／或いは動画像を記録媒体に記録及び再生表示する画像表示装置であって、
撮像手段と、記録手段と、制御手段と、液晶ディスプレイへ背面から照射するＬＥＤバックライトにより、明るさの切り替え可能な表示手段とバックライト駆動電流検出手段を有し、
前記表示手段は、前記バックライト駆動電流検出手段からの検出された値に応じて液晶用信号処理回路への画像信号設定値を通常設定値以外に複数持つことを特徴とする画像表示装置。
【発明の詳細な説明】
【技術分野】
【０００１】
本発明は、画像表示装置の液晶ディスプレイに関し、特に液晶用バックライトの輝度可変機能付きのものに関する。
【背景技術】
【０００２】
従来、デジタルカメラには、ＣＣＤイメージセンサなどの撮像素子で撮像された画像を表示するモニタ画面として透過型液晶ディスプレイが用いられている。デジタルカメラには、屋内、屋外を問わず手軽に撮影を楽しめるという利点がある。しかしながら、晴れて太陽が出ているような状況下で使用した場合、バックライト光源からの照明光と外光とにより、透過型液晶ディスプレイの表示画面が全体的に白っぽくなり、暗い屋内や夜間など外光が殆どない状況下では、光量が足りずに表示画面が全体的に黒っぽくなり、画像が見難くなるという問題があった。また、透過型液晶ディスプレイは、常にバックライトに給電しなければならず、消費電力が大きいという問題があった。そこで、使用場所・電池残量に応じてバックライトの明るさをユーザが任意に可変できるデジタルカメラが提案されている。又、バックライトの輝度調整(複数の蛍光管を個別にOn-Off)に伴い、画像の明暗を調整前に近くなるように、コントラストも自動で調整する発明（特許文献１）、
周囲の輝度に応じて、バックライトの明るさを可変し、コントラストも高める発明（特許文献２）も提案されている。
【特許文献１】特開平9-80378号公報
【特許文献２】特開2000-10068号公報
【発明の開示】
【発明が解決しようとする課題】
【０００３】
しかしながら、上記従来の技術例では、液晶ディスプレイへ背面から照射するバックライトの明るさを使用場所・電池残量によって可変するだけの為、バックライトの明るさを明るくすると、黒浮き状態になり、締まりの無い画像や表示画面全体が白っぽくなったり、バックライトの明るさを暗くすると、黒潰れして、暗部が解らないという問題があった。また、ＬＥＤを使用したバックライトでは、図１１に示すように、ＬＥＤに流す電流が増すにつれ、色度が黄色側から青色側に変化してしまい表示の色度が変わってしまう問題もあった。
【０００４】
本発明は、上述したような問題点を解消するために構成されたもので、液晶ディスプレイへ背面から照射するバックライトの明るさを可変しても、画面全体が白っぽくならない。また、黒浮き及び・黒潰れの無い表示品位の高い画像表示装置を提供することにある。
【０００５】
また、バックライトの明るさを可変しても液晶ディスプレイから表示される画像の色度を一定に保った画像表示装置提供することにある。
【課題を解決するための手段】
【０００６】
本発明の画像表示装置は、撮像した静止画像及び／或いは動画像を記録媒体に記録及び再生表示する画像表示装置であって、
撮像手段と、記録手段と、制御手段と、液晶ディスプレイへ背面から照射するＬＥＤバックライトにより、明るさの切り替え可能な表示手段とバックライト駆動電流検出手段を有し、
前記表示手段は、前記バックライト駆動電流検出手段からの検出された値に応じて液晶ディスプレイドライバーへの画像信号設定値を通常設定以外に複数持つことを特徴としている。
【０００７】
また、本発明のその他の特徴とするところは、輝度階調に閾値の範囲を設け、液晶ディスプレイへ背面から照射するＬＥＤバックライトにより、明るさの切り替え可能な表示手段前記表示手段への各画像信号設定値は、前記バックライト駆動電流検出手段からの検出された値が初期値より低い値が検出されると、初期輝度階調に対し前記輝度階調の閾値範囲外の輝度を上げるよう前記画像信号設定値を設定することを特徴としている。
【０００８】
また、本発明のその他の特徴とするところは、液晶ディスプレイへ背面から照射するＬＥＤバックライトにより、明るさの切り替え可能な表示手段前記表示手段への画像信号設定値は、前記バックライト駆動電流検出手段からの検出された値が初期値より低い値が検出されると、前記画像信号のＢ画像信号設定値比率を初期設定値より増やすことを特徴としている。
【０００９】
また、本発明のその他の特徴とするところは、輝度階調に閾値の範囲を設け、液晶ディスプレイへ背面から照射するＬＥＤバックライトにより、明るさの切り替え可能な表示手段前記表示手段への各画像信号設定値は、前記バックライト駆動電流検出手段からの検出された値が初期値より低い値が検出されると、初期輝度階調に対し前記輝度階調の閾値範囲外の輝度を下げるよう前記画像信号設定値を設定することを特徴としている。
【００１０】
また、本発明のその他の特徴とするところは、液晶ディスプレイへ背面から照射するＬＥＤバックライトにより、明るさの切り替え可能な表示手段への各画像信号設定値は、前記バックライト駆動電流検出手段からの検出された値が初期値より高い値が検出されると、前記画像信号のＢ画像信号設定値比率を初期設定値より減らすことを特徴としている。
【００１１】
また、本発明のその他の特徴とするところは、撮像した静止画像及び／或いは動画像を記録媒体に記録及び再生表示する画像表示装置であって、
撮像手段と、記録手段と、制御手段と、液晶ディスプレイへ背面から照射するＬＥＤバックライトにより、明るさの切り替え可能な表示手段とバックライト駆動電流検出手段を有し、
前記表示手段は、前記バックライト駆動電流検出手段からの検出された値に応じて液晶用信号処理回路への画像信号設定値を通常設定値以外に複数持つことを特徴としている。
【発明の効果】
【００１２】
液晶ディスプレイへ背面から照射するＬＥＤを用いたバックライトの明るさに応じて輝度階調を変更することで、バックライトの明るさを可変しても、画面全体が白っぽくならなくなったり、黒浮き及び・黒潰れの無い画像を液晶ディスプレイで表示でき、表示品位の向上をすることができる。さらに、ＬＥＤに流す電流によって各画像信号（Ｒ・Ｇ・Ｂ）振幅を可変することで、バックライトの色度が、黄色気味になったり、青色気味になったりすることのない色度が一定に保たれた表示画像の表示品位を向上することができる。
【発明を実施するための最良の形態】
【００１３】
次に、本発明の詳細を実施の形態の記述に従って説明する。
【００１４】
以下、本発明の実施の形態について、図面を参照して説明する。
【００１５】
図１に、本実施例のデジタルカメラの概要構成図を示す。
【００１６】
図１において、１は、デジタルカメラ本体、２は、本体に電源を入れる電源ＳＷ、３は、撮影モード・再生モードを切り替えるモードＳＷである。４は、撮影時ズーム操作を行い、再生時、撮影画像の一部を拡大表示（ズーム表示）を行うためのズームレバー、５は、レリーズスイッチ、６は、撮影及び再生画像・シャッター速度や絞り数値撮影枚数情報及び、メニュー等を表示する液晶表示パネルである。７は、液晶ディスプレイへ背面から照射するバックライトの明るさの可変等を行なうメニューに入る為のメニューＫＥＹである。８は、メニューを操作する十字操作ＫＥＹである。
【００１７】
図２は、図１に示すデジタルカメラの制御部の構成を示すブロック図である。図中、１１は、デジタルカメラ１を動作させる為、デジタルカメラ本体に電圧供給する電源供給部、１２は、デジタルカメラ全体を制御するためのＣＰＵ、１３は、画像を撮像する為のＣＣＤを含む撮像部、１４は、撮像した画像を処理する画像処理部、１５は、画像データを記憶する記憶部、１６は、撮影画像表示及びデジタルカメラ本体の状態を外部に知らせる為の液晶ディスプレイ表示部、１７は、液晶ディスプレイへ背面から照射するＬＥＤを用いたバックライト、１８は、バックライト１７に流れる電流を検出するバックライト駆動電流検出部、１９は、装置への操作を行う操作部である。
【００１８】
なお、図２には示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラムに従って動作制御する。
【００１９】
図３は、図２に示す液晶ディスプレイ表示部１６の構成を示すブロック図である。図中１６１は、表示用液晶ディスプレイである。１６２は、送られた画像信号を液晶ディスプレイ表示用に画像処理を行う画像処理回路部である。１６３は、液晶ディスプレイへの駆動及び制御を行う駆動制御回路部である。１６４は、画像処理回路部１６２のタイミング生成及び液晶ディスプレイ駆動回路部１６３用タイミング生成を行うタイミング制御回路部である。
【００２０】
図４は、図３に示す画像処理回路部１６２の構成を示すブロック図である。図中１６２１は、撮像部１３で撮像された画像を画像処理部１４で処理した画像信号（Ｒ・Ｇ・Ｂ信号）を所定のレベルにクランプするクランプ回路である。なお、本実施の形態では、Ｒ・Ｇ・Ｂ信号を画像処理回路部１６２に入力しているが、コンポジットビデオ信号または、輝度信号＋色差信号を入力しても良い。また、本実施形態のようにアナログ画像信号を画像処理回路部１６２に入力しているが、デジタル画像信号を入力しても良い。１６２２は、不要周波数帯域信号を落とすフィルタ回路である。１６２３は、階調レベルを補正するγ補正回路である。１６２４は、駆動制御回路部１６３に与える画像信号を所定の値に設定する為のアンプ回路である。１６２５は、駆動制御回路部１６３に与える画像信号を液晶ディスプレイの画素配列に合わせ時間軸で各画像信号（Ｒ・Ｇ・Ｂ）を補正するためのサンプルホールドを行うサンプルホールド回路部である。１６２６は、駆動制御回路部に渡すためのバッファ処理を行うバッファ回路である。
【００２１】
以上の構成を有するデジタルカメラにおけるバックライトの輝度に対応した階調補正について図５に示すフローチャートを参考に説明する。
【００２２】
ステップＳ１０１において、メニューＫＥＹ７にて、液晶ディスプレイへ背面から照射するＬＥＤを用いたバックライト１７の明るさを設定する。次に、ステップＳ１０２において、バックライト１７を駆動する駆動電流の検出をバックライト駆動電流検出部にて行なう。そして、検出されたバックライトの駆動電流が初期値電流が検出されたの場合、図６に示すように、バックライト輝度に対応した輝度階調が初期値になるように、ステップＳ１０３にて、初期設定の画像信号（Ｒ・Ｇ・Ｂ）ブライト調整値を選択し、次に、ステップＳ１０４にて初期設定の画像信号（Ｒ・Ｇ・Ｂ）コントラスト調整値選択し、次に、ステップ１０５に進み、初期設定の画像信号（Ｒ・Ｇ・Ｂ）γ調整値選択する。その際の液晶ディスプレイへ表示部内１６の駆動制御回路部１６２６へ渡す画像信号（Ｒ・Ｇ・Ｂ）の波形は、図７・図８・図９・図１０の実線の初期設定の通りである。そして、ステップＳ１１２進み、液晶ディスプレイへ表示部にて、表示を行なう。尚、調整値は、不図示のＲＯＭに、格納されている。次に、ステップＳ１０２において、検出されたバックライトの駆動電流が初期値電流より少ないと検出されたの場合、図６に示す通り、閾値１から閾値２範囲外を初期状態より持ち上げるように、画像信号（Ｇ）を設定し、色度が黄色気味から初期状態と同じようになるように画像信号（Ｂ）の設定をステップ１０６からステップ１０８にて行なう。それらを順に説明すると、ステップＳ１０６にて、バックライト駆動電流が初期値より少ない用画像信号（Ｇ・Ｂ）ブライト調整値を選択、ステップＳ１０７にて、バックライト駆動電流が初期値より少ない画像信号（Ｇ・Ｂ）コントラスト調整値選択、ステップＳ１０８にて、バックライト駆動電流が初期値より少ない設定用画像信号（Ｇ・Ｂ）γ調整値選択しステップＳ１１２進み、液晶ディスプレイへ表示部にて、表示を行なう。その際の液晶ディスプレイ表示部内１６の駆動制御回路部１６２６へ渡す画像信号（Ｇ・Ｂ）の波形は、図７・図９の通り実線の初期輝度階調に対し破線のバックライト駆動電流が初期値より少ない状態である。尚、本実施例においては、色度をあわせる為、画像信号（Ｂ）のブライト・コントラスト・γ調整にて行なっているが、画像信号（Ｒ）も含め画像信号（Ｒ・Ｂ）で行なっても良い。次に、ステップＳ１０２において、検出されたバックライトの駆動電流が初期値電流より多いと検出されたの場合、図６に示す通り、閾値１から閾値２範囲外を初期状態より下げるように、画像信号（Ｇ）を設定し、色度が青色気味から初期状態と同じようになるように画像信号（Ｂ）の設定をステップ１０６からステップ１０８にて行なう。それらを順に説明すると、ステップＳ１０６にて、バックライト駆動電流が初期値より多いブライト調整値を選択、ステップＳ１０７にて、バックライト駆動電流が初期値より多い調整値選択、ステップＳ１０８にて、バックライト駆動電流が初期値より多いγ調整値選択しステップＳ１１２進み、液晶ディスプレイへ表示部にて、表示を行なう。その際の液晶ディスプレイへ表示部内１６の駆動制御回路部１６２６へ渡す画像信号（Ｒ・Ｇ・Ｂ）の波形は、図８・図１０の通り実線の初期状態に対し破線のバ���クライト駆動電流が初期値より多い状態である。尚、本実施例においては、ブライト・コントラスト・γ野調整値を変更しているが、何れか一つないし何れかの組み合わせだけでも良い。また、本実施例においては、バックライト駆動電流が初期値より少ない・多いとしているが、バックライト駆動電流設定値を初期電流値に対し複数設け各々、画像信号を対応するようにしても良い。
【００２３】
（他の実施形態）
前記実施例に於いて、液晶ディスプレイへ表示部１６に入力する画像信号を表示方式によって、変えて設定値を複数持つことでも作用効果は、実施例１と同じである。
【図面の簡単な説明】
【００２４】
【図１】本発明の第一の実施形態に係るデジタルカメラの構成概要図。
【図２】図１デジタルカメラの制御部のブロック図。
【図３】液晶ディスプレイ表示回路のブロック図。
【図４】液晶用画像処理回路部のブロック図。
【図５】バックライトの輝度に対応した輝度階調補正シーケンスフローチャート。
【図６】バックライト輝度に対応した輝度階調図。
【図７】バックライト電流設定初期値に対するバックライト電流設定を駆動電流を低く設定した際の階調補正前後の液晶ディスプレイ表示部の各Ｇ信号波形。
【図８】バックライト電流設定初期値に対するバックライト電流設定を駆動電流を高く設定した際の階調補正前後の液晶ディスプレイ表示部のＧ信号波形。
【図９】バックライト電流設定初期値に対するバックライト電流設定を駆動電流を低く設定した際の階調補正前後の液晶ディスプレイ表示部の各Ｂ信号波形。
【図１０】バックライト電流設定初期値に対するバックライト電流設定を駆動電流を高く設定した際の階調補正前後の液晶ディスプレイ表示部のＢ信号波形。
【図１１】バックライトに使用しているＬＥＤの電流に対する輝度と電流に対する色度図。
【符号の説明】
【００２５】
１  デジタルカメラ本体
２  電源ＳＷ
３  モードＳＷ
４  ズームレバー
５  レリーズスイッチ
６  液晶表示パネル
７  メニューＫＥＹ
８  十字操作ＫＥＹ
１１  電源供給部
１２  ＣＰＵ
１３  撮像部
１４  画像処理部
１５  記憶部
１６  液晶ディスプレイ表示部
１７  液晶ディスプレイへ背面から照射するＬＥＤを用いたバックライト
１８  バックライト駆動電流検出部
１９  操作部
１６１  液晶ディスプレイ
１６２  画像処理回路部
１６３  駆動制御回路部
１６４  タイミング制御回路部
１７  階調検出部
１８  外部インターフェース部
１９  操作部
【図１】
2009128789.tif 000003
【図２】
2009128789.tif 000004
【図３】
2009128789.tif 000005
【図４】
2009128789.tif 000006
【図５】
2009128789.tif 000007
【図６】
2009128789.tif 000008
【図７】
2009128789.tif 000009
【図８】
2009128789.tif 000010
【図９】
2009128789.tif 000011
【図１０】
2009128789.tif 000012
【図１１】
2009128789.tif 000013